【手続補正書】
【提出日】平成22年10月1日(2010.10.1)
【手続補正１】
【補正対象書類名】特許請求の範囲
【補正対象項目名】全文
【補正方法】変更
【補正の内容】
【特許請求の範囲】
【請求項１】
（ａ）官能性結合基およびシラン基を有する第１のシランを表面上に堆積する工程と、
（ｂ）疎水性脂肪族基およびシラン基を有する第２のシランを前記第１のシラン上に堆積する工程と
を備える方法。
【請求項２】
前記第１のシランの官能性結合基は、
イソシアネート基、
ハロゲン化アシル基、
エポキシ基、
グリシジル基、
アミノ基、
メチルエステル基、
イソチオシアナト基、
カルボキシル基、
活性化カルボキシル基、
ハロゲン化アルキル基、
ハロゲン化ベンジル基、
クロロシラン基、
メトキシシラン基、
エトキシシラン基のうちの少なくとも一つからなる請求項１に記載の方法。
【請求項３】
前記第１のシランのシラン基は、
【化１】
2010505615.tif 000001
により表される基を有し、
Ｒ１、Ｒ２およびＲ３はそれぞれ独立して、Ｆ、Ｃｌ、Ｂｒ、Ｉ、Ｈ、ＯＨ、メトキシ基、エトキシ基、イソプロポキシ基、アルコキシ基、アセトキシ基、メチル基、アルキル基、ペルフルオロアルキル基、部分フッ素化アルキル基、ジメチルアミノ基、ジアルキルアミノ基、エチルアミノ基、モノアルキルアミノ基、アミノ基、フェニル基、またはメトキシエトキシエトキシ基である請求項１に記載の方法。
【請求項４】
前記第１のシランは、
【化２】
2010505615.tif 000002
により表される構造を有し、
ｎ＝０〜３２であり、
Ｘは、イソシアネート基、塩化アシル基、エポキシ基、グリシジル基、アミノ基、メチルエステル基、イソチオシアナト基、カルボキシル基、活性化カルボキシル基、塩化アルキル基、臭化アルキル基、ヨウ化アルキル基、塩化ベンジル基、臭化ベンジル基、クロロシラン基、メトキシシラン基、エトキシシラン基であり、
Ｒ１、Ｒ２およびＲ３はそれぞれ独立して、Ｆ、Ｃｌ、Ｂｒ、Ｉ、Ｈ、ＯＨ、メトキシ基、エトキシ基、イソプロポキシ基、アルコキシ基、アセトキシ基、メチル基、アルキル基、ペルフルオロアルキル基、部分フッ素化アルキル基、ジメチルアミノ基、ジアルキルアミノ基、エチルアミノ基、モノアルキルアミノ基、アミノ基、フェニル基、またはメトキシエトキシエトキシ基である請求項１に記載の方法。
【請求項５】
前記第２のシランの疎水性脂肪族基は、
アルキル鎖、
部分フッ素化アルキル鎖、
過フッ素化アルキル鎖のうちの少なくとも一つからなる請求項１に記載の方法。
【請求項６】
前記第２のシランのシラン基は、
【化３】
2010505615.tif 000003
により表される基を有し、
Ｒ４、Ｒ５およびＲ６はそれぞれ独立して、Ｆ、Ｃｌ、Ｂｒ、Ｉ、Ｈ、ＯＨ、メトキシ基、エトキシ基、イソプロポキシ基、アルコキシ基、アセトキシ基、メチル基、アルキル基、ペルフルオロアルキル基、部分フッ素化アルキル基、ジメチルアミノ基、ジアルキルアミノ基、エチルアミノ基、モノアルキルアミノ基、アミノ基、フェニル基、またはメトキシエトキシエトキシ基である請求項１に記載の方法。
【請求項７】
前記第２のシランは、
【化４】
2010505615.tif 000004
により表される構造を有し、
ｎ＝０〜３２であり、
Ｒ４、Ｒ５およびＲ６はそれぞれ独立して、Ｆ、Ｃｌ、Ｂｒ、Ｉ、Ｈ、ＯＨ、メトキシ基、エトキシ基、イソプロポキシ基、アルコキシ基、アセトキシ基、メチル基、アルキル基、ペルフルオロアルキル基、部分フッ素化アルキル基、ジメチルアミノ基、ジアルキルアミノ基、エチルアミノ基、モノアルキルアミノ基、アミノ基、フェニル基、またはメトキシエトキシエトキシ基である請求項１に記載の方法。
【請求項８】
前記表面はポリマー基材の表面からなる請求項１に記載の方法。
【請求項９】
前記表面はシリコン系基材の表面からなる請求項１に記載の方法。
【請求項１０】
前記表面はヒドロキシル基を有する請求項１に記載の方法。
【請求項１１】
（ａ）は、前記第１のシランを前記表面のヒドロキシル基と反応させることにより前記第１のシランを前記表面に結合することを含む請求項１０に記載の方法。
【請求項１２】
前記表面は、シラノール基を有するシリコン系基材の表面からなる請求項１に記載の方法。
【請求項１３】
（ａ）は、前記第１のシランのシラン基を前記シリコン系基材のシラノール基と反応させてシロキサン結合を形成することにより前記第１のシランを前記表面に結合することを含む請求項１２に記載の方法。
【請求項１４】
（ａ）に先立って、（ｃ）前記表面の一部を酸化する工程をさらに備える請求項１に記載の方法。
【請求項１５】
（ｃ）は、
プラズマ、
酸化剤、
紫外線光のうちの少なくとも一つに前記表面を曝すことを含む請求項１４に記載の方法。
【請求項１６】
（ｂ）に先立って、（ｄ）前記第１のシランを加水分解する工程をさらに備える請求項１に記載の方法。
【請求項１７】
（ｄ）は、前記第１のシラン上のシラン基を加水分解してシラノール基を形成することを含む請求項１６に記載の方法。
【請求項１８】
（ｂ）は、前記第２のシランのシラン基を前記第１のシランのシラノール基と反応させてシロキサン結合を形成することにより前記第２のシランを前記第１のシランに結合することを含む請求項１７に記載の方法。
【請求項１９】
（ｄ）は、前記第１のシランを水分に曝すことを含む請求項１６に記載の方法。
【請求項２０】
（ａ）に先立って、（ｅ）前記第１のシランを気化させて気化した第１のシランを形成する工程をさらに備える請求項１に記載の方法。
【請求項２１】
（ａ）は、気化した第１のシランに基材を曝すことを含む請求項２０に記載の方法。
【請求項２２】
（ｂ）に先立って、（ｆ）前記第２のシランを気化させて気化した第２のシランを形成する工程をさらに備える請求項１に記載の方法。
【請求項２３】
（ｂ）は、気化した第２のシランに前記第１のシランを曝すことを含む請求項２２に記載の方法。
【請求項２４】
（ｇ）前記第１のシランと前記第２のシランのうちの少なくとも一つを架橋結合する工程をさらに備える請求項１に記載の方法。
【請求項２５】
（ｈ）前記第１のシランと前記第２のシランのうちの少なくとも一つを硬化させる工程をさらに備える請求項１に記載の方法。
【請求項２６】
表面を有する第１の部分と、
前記第１の部分の表面に結合したコーティング組成物とを備える物品であって、前記コーティング組成物は、
前記第１の部分の表面に結合した第１のシランと、
シロキサン結合により前記第１のシランに結合した第２のシランとを備え、前記第１のシランはシラン基を有し、前記第２のシランは疎水性脂肪族基を有する物品。
【請求項２７】
前記第１のシランは、
カルバメート結合、
エステル結合、
エーテル結合、
Ｓｉ−Ｏ−Ｃ結合、
アミド結合、
イミン結合、
イオン結合、
シロキサン結合のうちの少なくとも一つにより前記第１の部分の表面に結合される請求項２６に記載の物品。
【請求項２８】
前記第１のシランは、
【化５】
2010505615.tif 000005
により表されるシラン基を有し、
Ｒ１、Ｒ２およびＲ３はそれぞれ独立して、Ｆ、Ｃｌ、Ｂｒ、Ｉ、Ｈ、ＯＨ、メトキシ基、エトキシ基、イソプロポキシ基、アルコキシ基、アセトキシ基、メチル基、アルキル基、ペルフルオロアルキル基、部分フッ素化アルキル基、ジメチルアミノ基、ジアルキルアミノ基、エチルアミノ基、モノアルキルアミノ基、アミノ基、フェニル基、メトキシエトキシエトキシ基、またはシロキサン結合である請求項２６に記載の物品。
【請求項２９】
前記第１のシランは、
【化６】
2010505615.tif 000006
により表される構造を有し、
ｎ＝０〜３２であり、
Ｘは、イソシアネート基、塩化アシル基、エポキシ基、グリシジル基、アミノ基、メチルエステル基、イソチオシアナト基、カルボキシル基、活性化カルボキシル基、塩化アルキル基、臭化アルキル基、ヨウ化アルキル基、塩化ベンジル基、臭化ベンジル基、クロロシラン基、メトキシシラン基、エトキシシラン基、カルバメート結合、エステル結合、エーテル結合、Ｓｉ−Ｏ−Ｃ結合、アミド結合、イミン結合、イオン結合、またはシロキサン結合であり、
Ｒ１、Ｒ２およびＲ３はそれぞれ独立して、Ｆ、Ｃｌ、Ｂｒ、Ｉ、Ｈ、ＯＨ、メトキシ基、エトキシ基、イソプロポキシ基、アルコキシ基、アセトキシ基、メチル基、アルキル基、ペルフルオロアルキル基、部分フッ素化アルキル基、ジメチルアミノ基、ジアルキルアミノ基、エチルアミノ基、モノアルキルアミノ基、アミノ基、フェニル基、メトキシエトキシエトキシ基、またはシロキサン結合である請求項２６に記載の物品。
【請求項３０】
前記第２のシランの疎水性脂肪族基は、
アルキル鎖、
部分フッ素化アルキル鎖、
過フッ素化アルキル鎖のうちの少なくとも一つからなる請求項２６に記載の物品。
【請求項３１】
前記第２のシランは、
【化７】
2010505615.tif 000007
により表されるシラン基を有し、
Ｒ４、Ｒ５およびＲ６はそれぞれ独立して、Ｆ、Ｃｌ、Ｂｒ、Ｉ、Ｈ、ＯＨ、メトキシ基、エトキシ基、イソプロポキシ基、アルコキシ基、アセトキシ基、メチル基、アルキル基、ペルフルオロアルキル基、部分フッ素化アルキル基、ジメチルアミノ基、ジアルキルアミノ基、エチルアミノ基、モノアルキルアミノ基、アミノ基、フェニル基、メトキシエトキシエトキシ基、またはシロキサン結合である請求項２６に記載の物品。
【請求項３２】
前記第２のシランは、
【化８】
2010505615.tif 000008
により表される構造を有し、
ｎ＝０〜３２であり、
Ｒ４、Ｒ５およびＲ６はそれぞれ独立して、Ｆ、Ｃｌ、Ｂｒ、Ｉ、Ｈ、ＯＨ、メトキシ基、エトキシ基、イソプロポキシ基、アルコキシ基、アセトキシ基、メチル基、アルキル基、ペルフルオロアルキル基、部分フッ素化アルキル基、ジメチルアミノ基、ジアルキルアミノ基、エチルアミノ基、モノアルキルアミノ基、アミノ基、フェニル基、メトキシエトキシエトキシ基、またはシロキサン結合である請求項２６に記載の物品。
【請求項３３】
前記第１の部分の表面に形成された開口をさらに備える請求項２６に記載の物品。
【請求項３４】
前記コーティング組成物は、前記第１の部分の表面に形成された開口に隣接する部位で前記第１の部分の表面に結合されている請求項３３に記載の物品。
【請求項３５】
前記開口は、物品の一部を貫通する当該開口の一部を画定する開口面を有し、前記コーティング組成物は、前記開口面に結合されている請求項３３に記載の物品。
【請求項３６】
前記コーティング組成物は、前記開口を液体が通過するのを防ぐことが可能である請求項３３に記載の物品。
【請求項３７】
前記第１の部分の表面はメッシュ表面からなり、前記メッシュ表面は、当該メッシュ表面に形成された開口を備える請求項２６に記載の物品。
【請求項３８】
表面を有する第２の部分をさらに備え、前記第１の部分の表面と前記第２の部分の表面の間には開口が形成されている請求項２６に記載の物品。
【請求項３９】
請求項２６〜３８のいずれか一項に記載の物品からなる補聴器デバイスを備える装置。
【請求項４０】
前記表面は補聴器デバイスの表面部分である、請求項１〜２５のいずれか一項に記載の方法。
【請求項４１】
少なくとも一つのゲルマニウム官能基を有する化合物によって、前記第１のシラン又は前記第２のシランの全部又は一部を置き換えた請求項１〜２５のいずれか一項に記載の方法。